(57)【要約】【課題】  特許文献１に記載の離反阻止部を用いることなく、ロックカバーが扉枠から離間することを抑制可能な補助錠装置の一例を開示する。【解決手段】  カバー本体５２の厚み寸法及び幅寸法が金具本体３２の厚み寸法及び幅寸法より大きく、かつ、金具本体３２のうち挟込部３１側の端部には、当該金具本体３２を挟んで挟込部３１と反対側に延出してドアＤと接触可能な当て部３３が設けられている。これにより、当該補助錠装置１では、特許文献１に記載の離反阻止部を用いることなく、ロックカバー５が扉枠Ｆから離間することが抑制可能となる。【選択図】  図１
2020190124.tif 000002
【特許請求の範囲】
【請求項１】
扉枠に対して室内側に変位するドアを有する内開き扉に適用される補助錠装置において、
前記ドアの外縁部に装着される金属板製の取付金具であって、当該外縁部を挟み込むための略コの字状の挟込部、及び当該挟込部から室外側に延びる帯板状の金具本体を有し、かつ、当該金具本体の先端側に錠前の掛け金が挿入可能な掛金穴が設けられた取付金具と、
前記扉枠に室外側から接触して当該扉枠に引っ掛けられて係止される係止部、及び当該係止部から前記挟込部側に向けて延びるカバー本体を有する樹脂製のロックカバーであって、前記金具本体の先端側が貫通挿入される差込穴が設けられたロックカバーとを備え、
前記金具本体が前記差込穴を貫通し、かつ、前記掛金穴に前記掛け金が挿入された状態において、前記カバー本体のうち前記挟込部側の端部が前記ドアに直接的又は間接的に接触可能であり、
前記カバー本体の厚み寸法及び幅寸法は、前記金具本体の厚み寸法及び幅寸法より大きく、
さらに、前記金具本体のうち前記挟込部側の端部には、当該金具本体を挟んで前記挟込部と反対側に延出して前記ドアと接触可能な当て部が設けられている補助錠装置。
【請求項２】
扉枠に対して室外側に変位するドアを有する外開き扉に適用される補助錠装置において、
前記ドアの外縁部に装着される金属板製の取付金具であって、当該外縁部を挟み込むための略コの字状の挟込部、及び当該挟込部から室内側に延びる帯板状の金具本体を有し、かつ、当該金具本体の先端側に錠前の掛け金が挿入可能な掛金穴が設けられた取付金具と、
前記扉枠に室内側から接触して当該扉枠に引っ掛けられて係止される係止部、及び当該係止部から前記挟込部側に向けて延びるカバー本体を有する樹脂製のロックカバーであって、前記金具本体の先端側が貫通挿入される差込穴が設けられたロックカバーとを備え、
前記金具本体が前記差込穴を貫通し、かつ、前記掛金穴に前記掛け金が挿入された状態において、前記カバー本体のうち前記挟込部側の端部が前記ドアに直接的又は間接的に接触可能であり、
前記カバー本体の厚み寸法及び幅寸法は、前記金具本体の厚み寸法及び幅寸法より大きく、
さらに、前記金具本体のうち前記挟込部側の端部には、当該金具本体を挟んで前記挟込部と反対側に延出して前記ドアと接触可能な当て部が設けられている補助錠装置。
【請求項３】
前記挟込部、前記金具本体及び前記当て部は、１枚の帯板が折り曲げられて構成された一体品であり、
さらに、前記当て部及び前記掛金穴が設けられた部位は、前記帯板が折り曲げられて２枚の帯板が重ねられた構成である請求項１又は２に記載の補助錠装置。
【請求項４】
前記ロックカバーには、金属板製の補強部材が一体化されており、
前記補強部材は、前記当て部に面する第１補強部、前記金具本体に面する第２補強部、及び前記係止部に位置する第３補強部を有し、かつ、それら第１〜第３補強部が１枚の金属板にて構成された一体品である請求項３に記載の補助錠装置。
【発明の詳細な説明】
【技術分野】
【０００１】
本開示は、補助錠装置に関する。
【背景技術】
【０００２】
例えば、特許文献１に記載の補助錠装置では、取付金具に係止される（引っ掛けられる）立ち上げ部がロックカバーに設けられている。立ち上げ部は、取付金具に係止されることにより、ロックカバーが扉枠から離間することを抑制する離反阻止部として機能する。
【先行技術文献】
【特許文献】
【０００３】
【特許文献１】登録実用新案第３１８５１９８号公報
【発明の概要】
【発明が解決しようとする課題】
【０００４】
本開示は、特許文献１に記載の離反阻止部を用いることなく、ロックカバーが扉枠から離間することを抑制可能な補助錠装置の一例を開示する。
【課題を解決するための手段】
【０００５】
扉枠（Ｆ）に対して室内側に変位するドア（Ｄ）を有する内開き扉に適用される補助錠装置は、例えば、以下の構成要件のうち少なくとも１つを備えることが望ましい。
すなわち、当該構成要件は、ドア（Ｄ）の外縁部に装着される金属板製の取付金具（３）であって、当該外縁部を挟み込むための略コの字状の挟込部（３１）、及び当該挟込部（３１）から室外側に延びる帯板状の金具本体（３２）を有し、かつ、当該金具本体（３２）の先端側に錠前の掛け金が挿入可能な掛金穴（３２Ａ）が設けられた取付金具（３）と、扉枠（Ｆ）に室外側から接触して当該扉枠（Ｆ）に引っ掛けられて係止される係止部（５１）、及び当該係止部（５１）から挟込部（３１）側に向けて延びるカバー本体（５２）を有する樹脂製のロックカバー（５）であって、金具本体（３２）が貫通挿入される差込穴（５Ａ）が設けられたロックカバー（５）とを備え、金具本体（３２）が差込穴（５Ａ）を貫通し、かつ、掛金穴（３２Ａ）に掛け金（ＰＬ１）が挿入された状態において、カバー本体（５２）のうち挟込部（３１）側の端部（５２Ａ、５２Ｂ）がドア（Ｄ）に直接的又は間接的に接触可能であり、カバー本体（５２）の厚み寸法及び幅寸法は、金具本体（３２）の厚み寸法及び幅寸法より大きく、さらに、金具本体（３２）の挟込部（３１）側の端部には、当該金具本体（３２）を挟んで挟込部（３１）と反対側に延出してドア（Ｄ）と接触可能な当て部（３３）が設けられていることである。
【０００６】
これにより、当該補助錠装置では、特許文献１に記載の離反阻止部を用いることなく、ロックカバーが扉枠から離間することを抑制可能となる。
因みに、上記各括弧内の符号は、後述する実施形態に記載の具体的構成等との対応関係を示す一例であり、本開示は上記括弧内の符号に示された具体的構成等に限定されるものではない。
【図面の簡単な説明】
【０００７】
【図１】第１実施形態に係る補助錠装置の正面図である。
【図２】図１の右側側面図である。
【図３】図１の左側側面図である。
【図４】図１の上面図である。
【図５】図１の下面図である。
【図６】図１の裏面図である。
【図７】第１実施形態に係る補助錠装置の分解図である。
【図８】第１実施形態に係るロックカバーを示す図である。
【図９】第１実施形態に係るロックカバーの分解図である。
【図１０】第１実施形態に係る補助錠装置の使用方法を示す図である。
【図１１】第２実施形態に係る補助錠装置の正面図である。
【図１２】第３施形態に係る補助錠装置の正面図である。
【発明を実施するための形態】
【０００８】
以下の「発明の実施形態」は、本開示の技術的範囲に属する実施形態の一例を示すものである。つまり、特許請求の範囲に記載された発明特定事項等は、下記の実施形態に示された具体的構成や構造等に限定されるものではない。
【０００９】
なお、各図に付された方向を示す矢印及び斜線等は、各図相互の関係及び各部材又は部位の形状を理解し易くするために記載されたものである。したがって、本開示に示された発明は、各図に付された方向に限定されるものではない。
【００１０】
少なくとも符号が付されて説明された部材又は部位は、「１つの」等の断りがされた場合を除き、少なくとも１つ設けられている。つまり、「１つの」等の断りがない場合には、当該部材は２以上設けられていてもよい。本開示に示された補助錠装置は、少なくとも符号が付されて説明された部材又は部位等の構成要素を備える。
【００１１】
（第１実施形態）
＜１．補助錠装置の概要＞
本実施形態は、建物内に設置された室内ドアに本開示に係る補助錠装置の一例が適用されたものである。図１に示されるように、本実施形態に係る補助錠装置１は、扉枠Ｆに対して室内側に変位するドアＤを有する内開き扉に適用される。
【００１２】
ドアＤは、図１の紙面左側に蝶番（図示せず。）が設けられた「室内側に開くドア」である。扉枠Ｆは、ドアＤの外縁を囲むフレームである。当該扉枠Ｆは、建物に対して固定され、当該建物の一部を構成する。
【００１３】
そして、補助錠装置１は、南京錠等の錠前ＰＬと協働してドアＤが開くことを規制する。補助錠装置１の使用時においては、錠前ＰＬは、廊下等の室外側に位置する。つまり、当該補助錠装置１の利用者は、室外側からドアＤに施錠することができる。
【００１４】
＜２．補助錠装置の構成＞
補助錠装置１は、図７に示されように、取付金具３及びロックカバー５等を少なくとも備える。
【００１５】
＜取付金具＞
取付金具３は、図１に示されるように、ドアＤの外縁部に装着される金属板製の金具である。当該取付金具３は、挟込部３１及び金具本体３２等を少なくとも有する。
【００１６】
挟込部３１は、ドアＤの外縁部Ｄ１を挟み込むための部位であって、略コの字状に構成された部位である。挟込部３１には、当該挟込部３１を外縁部Ｄ１に固定するためのネジ式の固定具３１Ａが設けられている。
【００１７】
金具本体３２は、挟込部３１から室外側に延びる帯板状の部位である。当該金具本体３２の先端側には、図７に示されるように、掛金穴３２Ａが設けられている。掛金穴３２Ａは、錠前ＰＬの掛け金ＰＬ１（図１参照）が挿入可能な貫通穴である。
【００１８】
金具本体３２のうち挟込部３１側の端部には当て部３３が設けられている。当て部３３は、金具本体３２を挟んで挟込部３１と反対側に延出してドアＤの室外側と接触可能な部位である（図１参照）。
【００１９】
取付金具３、つまり挟込部３１、金具本体３２及び当て部３３は、図７に示されるように、１枚の金属帯板が折り曲げられて構成された一体品である。そして、取付金具３のうち当て部３３及び掛金穴３２Ａが設けられた部位は、帯板が折り曲げられて２枚の帯板が重ねられた構成となっている。
【００２０】
＜ロックカバー＞
ロックカバー５は、係止部５１及びカバー本体５２等を少なくとも有する。係止部５１は、図１に示されるように、扉枠Ｆに室外側から接触して扉枠Ｆに引っ掛けられて係止される部位である。
【００２１】
カバー本体５２は、係止部５１から挟込部３１側に向けて延びる部位である。係止部５１及びカバー本体５２は、樹脂にて一体成形された一体品である。ロックカバー５のうち係止部５１とカバー本体５２との接続部には、差込穴５Ａが設けられている。差込穴５Ａは、金具本体３２の先端側、つまり掛金穴３２Ａ側が貫通挿入される貫通穴である。
【００２２】
そして、金具本体３２が差込穴５Ａを貫通し、かつ、掛金穴３２Ａに掛け金ＰＬ１が挿入された状態においては、カバー本体５２のうち挟込部３１側の端部５２Ａ、５２Ｂ（図７参照）がドアＤの室外側に直接的又は間接的（本実施形態は、直接的）に接触可能である。
【００２３】
このため、ロックカバー５には、図７に示されるように、当て部３３が嵌り込み可能な凹部５２Ｃが設けられている。そして、カバー本体５２の厚み寸法Ｔ１及び幅寸法Ｗ１は、金具本体３２の厚み寸法Ｔ１及び幅寸法Ｗ２より大きい寸法となっている。
【００２４】
ロックカバー５には、図８に示されるように、金属板製の補強部材５３が一体化されている。補強部材５３は、図９に示されるように、第１補強部５３Ａ、第２補強部５３Ｂ及び第３補強部５３Ｃ等を少なくとも有する。
【００２５】
第１補強部５３Ａは当て部３３に面する部位である。第２補強部５３Ｂは金具本体３２に面する部位である。第３補強部５３Ｃは係止部５１に位置する部位である。そして、第１〜第３補強部５３Ａ〜５３Ｃは、１枚の金属板が折り曲げられて構成された一体品である。
【００２６】
なお、本実施形態に係る補強部材５３は、１本又は複数の皿ネジ又はタッピンネジ等のネジ（本実施形態では、皿ネジ５３Ｄ）によりロックカバー５に一体化されている。具体的には、ロックカバー５の凹部５２Ｃには突起５２Ｄが設けられている。
【００２７】
第１補強部５３Ａには、突起５２Ｄが挿入可能な挿入穴５３Ｄが設けられている。係止部５１には、各皿ネジ５３Ｄが嵌り込む雌ねじ部５１Ａが複数設けられている。なお、本実施形態係る各雌ねじ部５１Ａは、ロックカバー５の成形時に埋設（インサート）された金属製のナット（図示せず。）により構成されている。
【００２８】
＜３．補助錠装置の使用方法＞
補助錠装置１を利用する者（以下、利用者という。）は、先ず、取付金具３の挟込部３１をドアＤの外縁部Ｄ１に固定する（図１０参照）。次に、利用者は、カバー本体５２の先端が差込穴５Ａに嵌り込むように、室外からロックカバー５を取付金具３に装着する（図１参照）。
【００２９】
最後に、利用者は、錠前ＰＬの掛け金ＰＬ１を掛金穴３２Ａに挿入した後、当該錠前ＰＬを施錠する。これにより、ロックカバー５が取付金具３から離脱不可な状態（外れない状態）となる。したがって、ドアＤは、取付金具３及びロックカバー５、つまり補助錠装置１を介して扉枠Ｆに係止された状態となるので、ドアＤが開くことが規制される。
【００３０】
＜４．本実施形態に係る補助錠装置の特徴＞
本実施形態に係る補助錠装置１では、カバー本体５２の厚み寸法Ｔ１及び幅寸法Ｗ１が金具本体３２の厚み寸法Ｔ１及び幅寸法Ｗ２より大きい寸法である。このため、カバー本体５２の曲げ剛性が大きくなるので、ロックカバー５が扉枠Ｆから離間するように変形することが抑制され得る。
【００３１】
さらに、金具本体３２のうち挟込部３１側の端部には、当該金具本体３２を挟んで挟込部３１と反対側に延出してドアＤと接触可能な当て部３３が設けられている（図１参照）。このため、ロックカバー５は、取付金具３と協働してロックカバー５が扉枠Ｆから離間するように変形することが抑制され得る。
【００３２】
以上のように、本実施形態に係る補助錠装置１では、特許文献１に記載の離反阻止部を用いることなく、ロックカバー５が扉枠Ｆから離間することが抑制可能となる。
そして、当て部３３及び掛金穴３２Ａが設けられた部位は、取付金具３を構成する帯板が折り曲げられて２枚の帯板が重ねられた構成である。
【００３３】
これにより、当て部３３の剛性及び掛金穴３２Ａ周囲の剛性が大きくなるので、ロックカバー５は、取付金具３と協働してロックカバー５が扉枠Ｆから離間するように変形することが抑制され得る。
【００３４】
ロックカバー５には、金属板製の補強部材５３が一体化され、当該補強部材５３の第１〜第３補強部５３Ａ〜５３Ｃは１枚の金属板にて構成された一体品である。これにより、カバー本体５２の曲げ剛性が大きくなるので、ロックカバー５が扉枠Ｆから離間するように変形することが抑制され得る。
【００３５】
（第２実施形態）
本実施形態に係る補助錠装置１は、図１１に示されるように、係止部５１と扉枠Ｆとの間にスペーサ５４が配置された構成である。スペーサ５４は、係止部５１と扉枠Ｆとの隙間を埋めるための部材である。
【００３６】
つまり、扉枠Ｆの厚み寸法が小さい場合には、係止部５１と扉枠Ｆとの隙間が大きくなる。当該隙間が大きくなると、錠装置として機能が十分に発揮できないおそれがある。そこで、本実施形態では、係止部５１と扉枠Ｆとの間にスペーサ５４が配置されている。
【００３７】
なお、スペーサ５４は両面テープにて係止部５１に装着される。スペーサ５４を用いるか否か、及びスペーサ５４の装着は、利用者が行う。なお、上記の説明は、上述の実施形態との相違点に関する説明である。上述の実施形態と同一の構成要件等は、上述の実施形態と同一の符号が付されている。このため、本実施形態では、重複する説明は省略されている。
【００３８】
（第３実施形態）
上述の実施形態に係る補助錠装置１は、内開き扉に適用される補助錠装置であった。これに対して、本実施形態に係る補助錠装置１は、図１２に示されるように、扉枠Ｆに対して室外側に変位するドアＤを有する外開き扉に適用したものである。つまり、内開き扉用の補助錠装置１は、外開き扉にも適用可能である。
【００３９】
なお、係止部５１と扉枠Ｆとの隙間が大きい場合には、本実施形態においても、スペーサ５４を用いることが望ましい。上述の実施形態と同一の構成要件等は、上述の実施形態と同一の符号が付されている。このため、本実施形態では、重複する説明は省略されている。
【００４０】
（その他の実施形態）
上述の実施形態では、当て部３３及び掛金穴３２Ａが設けられた部位は、取付金具３を構成する帯板が折り曲げられて２枚の帯板が重ねられた構成であった。しかし、本開示はこれに限定されるものではない。すなわち、当該開示は、例えば、金具本体３２が帯板の２枚重ね構造であってもよい。
【００４１】
上述の実施形態では、ロックカバー５に金属板製の補強部材５３が一体化され、当該補強部材５３の第１〜第３補強部５３Ａ〜５３Ｃは１枚の金属板にて構成された一体品であった。しかし、本開示はこれに限定されるものではない。すなわち、当該開示は、例えば、ロックカバー５に補強部材５３が設けられていない構成、又は第１〜第３補強部５３Ａ〜５３Ｃは１枚の金属板にて構成されていない構成であってもよい。
【００４２】
上述の実施形態では、カバー本体５２の厚み寸法Ｔ１及び幅寸法Ｗ１は、金具本体３２の厚み寸法Ｔ１及び幅寸法Ｗ２より大きい寸法となっていた。しかし、本開示はこれに限定されるものではない。
【００４３】
上述の実施形態に係る補強部材５３は、複数の皿ネジ５３Ｄによりロックカバー５に一体化されていた。しかし、本開示はこれに限定されるものではない。すなわち、当該開示は、例えば、インサート成形法により補強部材５３がロックカバー５に一体化された構成であってもよい。
【００４４】
上述の実施形態では、カバー本体５２のうち挟込部３１側の端部５２Ａ、５２ＢがドアＤの室外側に直接的に接触可能であった。しかし、本開示はこれに限定されるものではない。すなわち、当該開示は、例えば、端部５２Ａ、５２ＢとドアＤとの間に配置されたスペーサ等を介して、端部５２Ａ、５２ＢがドアＤの室外側に間接的に接触可能な構成であってもよい。
【００４５】
上述の実施形態では、利用者が錠前ＰＬを準備する必要があった。しかし、本開示はこれに限定されるものではない。すなわち、当該開示は、例えば、補助錠装置１に錠前ＰＬが付属する構成であってよい。
【００４６】
上述の実施形態では、「室内側に開くドア」に本開示に係る補助錠装置を適用した例であった。しかし、本開示はこれに限定されるものではない。すなわち、当該開示は、例えば、玄関ドアにも適用可能である。
【００４７】
さらに、本開示は、上述の実施形態に記載された開示の趣旨に合致するものであればよく、上述の実施形態に限定されるものではない。したがって、上述した複数の実施形態のうち少なくとも２つの実施形態が組み合わせられた構成、又は上述の実施形態において、図示された構成要件もしくは符号を付して説明された構成要件のうちいずれかが廃止された構成でもよい。
【符号の説明】
【００４８】
１… 補助錠装置  ３… 取付金具  ５… ロックカバー
５Ａ… 差込穴  ３１… 挟込部  ３１Ａ… 固定具
３２… 金具本体  ３２Ａ… 掛金穴  ３３… 当て部
５１… 係止部  ５２… カバー本体  ５３… 補強部材
５３Ａ… 第１補強部  ５３Ｂ… 第２補強部  ５３Ｃ… 第３補強部
【図１】
2020190124.tif 000003
【図２】
2020190124.tif 000004
【図３】
2020190124.tif 000005
【図４】
2020190124.tif 000006
【図５】
2020190124.tif 000007
【図６】
2020190124.tif 000008
【図７】
2020190124.tif 000009
【図８】
2020190124.tif 000010
【図９】
2020190124.tif 000011
【図１０】
2020190124.tif 000012
【図１１】
2020190124.tif 000013
【図１２】
2020190124.tif 000014